(57)【要約】【課題】高い風圧等にも耐え得る強度を備え、かつ、容易に着脱可能な固定障子を備えた建具等を提供する。【解決手段】室内外を連通する開口に設けられる枠体と、前記枠体内に固定され前記開口の一部を閉塞する固定障子と、前記開口にて前記固定障子にて閉塞されていない領域を閉塞可能であり、前記枠体に沿って移動可能な移動障子と、を有し、前記固定障子が有する框の外周部には外側に向かって開放された框側溝部を有し、前記枠体の内周部には内側に向かって開放された枠側溝部を有し、前記固定障子は、前記框側溝部と前記枠側溝部とにそれぞれ嵌合される嵌合部材にて見込み方向の移動が規制されている。【選択図】図１
2010053654.tif 000002
【特許請求の範囲】
【請求項１】
室内外を連通する開口に設けられる枠体と、
前記枠体内に固定され前記開口の一部を閉塞する固定障子と、
前記開口において前記固定障子にて閉塞されていない領域を閉塞可能であり、前記枠体に沿って移動可能な移動障子と、を有し、
前記固定障子が有する框の外周部には外側に向かって開放された框側溝部を有し、
前記枠体の内周部には内側に向かって開放された枠側溝部を有し、
前記固定障子は、前記框側溝部と前記枠側溝部とにそれぞれ嵌合される嵌合部材にて見込み方向の移動が規制されていることを特徴とする建具。
【請求項２】
請求項１に記載の建具であって、
前記固定障子は、前記枠体を構成する縦枠に嵌合された前記嵌合部材と、
前記框側溝部と前記枠側溝部とに嵌合されるとともに、前記固定障子を構成する召し合わせ框の側面に当接される規制部材と、にて見付け方向の移動が規制されることを特徴とする建具。
【請求項３】
請求項１または請求項２に記載の建具であって、
前記嵌合部材は、前記枠体側に向かって突出する突起を有し、
前記枠体は、前記突起が挿入される孔部を有し、
前記嵌合部材は、前記孔部に前記突起が挿入されて位置決めされることを特徴とする建具。
【請求項４】
請求項１乃至請求項３のいずれかに記載の建具であって、
前記框側溝部及び前記枠側溝部の開放された端部には、見込み方向の幅が前記框側溝部及び前記枠側溝部の内部の見込み方向の幅より狭くなるような突片が設けられており、
前記嵌合部材は、前記框側溝部の内部または前記枠側溝部の内部に挿入されて、前記突片に係合されて、前記固定障子と前記枠体とを連結することを特徴とする建具。
【請求項５】
請求項１乃至請求項４のいずれかに記載の建具であって、
前記枠側溝部の前記固定障子にて覆われない部位を塞ぐ閉塞部材を有することを特徴とする建具。
【請求項６】
請求項３乃至請求項５に記載の建具であって、
前記枠体は、前記突片が切り欠かれた切欠部を有しており、
前記嵌合部材は、前記切欠部から前記枠側溝部に挿入されて見付け方向に移動されることを特徴とする建具。
【請求項７】
請求項６に記載の建具であって、
前記切欠部は、固定された前記固定障子又は前記閉塞部材にて覆われることを特徴とする建具。
【請求項８】
室内外を連通する開口に設けられ縦枠と横枠とが枠組みされた枠体と、
前記枠体内に固定され前記開口の一部を閉塞する固定障子と、
前記開口における前記固定障子にて閉塞されていない領域を閉塞可能であり、見付け方向に沿って移動可能な移動障子と、を有する建具の取付方法であって、
前記固定障子が有する框の外周部に設けられ外側に向かって開放された框側溝部及び前記枠体の内周部に設けられ内側に向かって開放された枠側溝部にそれぞれ嵌合される嵌合部材を、前記枠体に嵌合すること、
前記固定障子を、前記枠体の内側であって前記固定障子が固定される領域と異なる領域から見付け方向に移動させることにより前記嵌合部材と嵌合させて所定の位置に配置すること、
を有することを特徴とする建具の取付方法。
【請求項９】
請求項８に記載の建具の取付方法であって、
前記框側溝部と前記枠側溝部とに嵌合されるとともに、前記固定障子を構成する召し合わせ框の側面に当接される規制部材を、前記横枠に固定して当該固定障子の見付け方向の移動を規制すること、
を有することを特徴とする建具の取付方法。
【請求項１０】
請求項８または請求項９に記載の建具の取付方法であって、
前記嵌合部材を、見付け方向において間隔を隔てて設けられた一対の前記縦枠のうちの一方の前記縦枠に嵌合し、前記横枠における他方の前記縦枠側にスライド可能に嵌合し、
前記固定障子を前記縦枠に嵌合させた前記嵌合部材と嵌合させて前記所定の位置に配置した後に、前記横枠に嵌合させた前記嵌合部材を前記枠側溝部に沿ってスライドさせて、前記固定障子と嵌合させることを特徴とする建具の取付方法。
【請求項１１】
請求項８または請求項９に記載の建具の取付方法であって、
前記嵌合部材を、見付け方向において間隔を隔てて設けられた一対の前記縦枠のうちの一方の前記縦枠と、前記横枠との決められた位置に嵌合し、
前記固定障子を、前記横枠の前記嵌合部材が嵌合されていない領域から見付け方向に移動させることにより当該嵌合部材と嵌合させることを特徴とする建具の取付方法。
【請求項１２】
室内外を連通する開口に設けられ縦枠と横枠とが枠組みされた枠体と、
前記枠体内に固定され前記開口の一部を閉塞する固定障子と、
前記開口における前記固定障子にて閉塞されていない領域を閉塞可能であり、見付け方向に沿って移動可能な移動障子と、を有する建具の取付方法であって、
前記固定障子が有する框の外周部に設けられ外側に向かって開放された框側溝部及び前記枠体の内周部に設けられ内側に向かって開放された枠側溝部にそれぞれ嵌合される嵌合部材を、見付け方向において間隔を隔てて設けられた一対の前記縦枠のうちの一方の前記縦枠と、前記横枠との決められた位置に嵌合し、
前記固定障子を、見込み方向に移動させて前記嵌合部材と嵌合させることを特徴とする建具の取付方法。
【発明の詳細な説明】
【技術分野】
【０００１】
本発明は、室内外を連通する開口に設けられる枠体に固定され開口の一部を閉塞する固定障子を有する建具及び建具の取付方法に関する。
【背景技術】
【０００２】
従来、室内外を連通する開口に設けられる枠体に固定され開口の一部を閉塞する固定障子を有する建具としては、外障子をサッシ枠に固定して内障子を面内方向に走行自在に建て込んだ片引きサッシが知られている（例えば、特許文献１参照）。このような建具は、方形枠状に枠組みしたサッシ枠内に内障子が走行自在に装着され、固定される外障子は、高い風圧等にも耐え得るように、上框が外上レールに取り付けられた樹脂製の取付アタッチメントがビスで取り付けられている。
【０００３】
具体的には、取付アタッチメントは、上枠の外上レールを挟むように一側片と他側片とが下端側で連結されており、一側片側から他側片側に向かって係合突片が設けられている。外上レールには、係合孔が形成されており、一側片と他側片との間に外上レールを差し込むとともに係合突片を係合孔に係合させて取付アタッチメントがサッシ枠に取り付けられる。サッシ枠に取り付けられた取付アタッチメントには、上向きコ字状をなす上框を下から上に向けて嵌合し、下方から上框の底面を貫通したビスを取付アタッチメントに螺合することにより外障子が取り付けられている。
【特許文献１】登録実用新案第２５５４７９６号公報
【発明の開示】
【発明が解決しようとする課題】
【０００４】
しかしながら、上記のような建具は、取付アタッチメントを取り付けるための係合孔を外上レール、すなわち上枠に形成するための加工が必要であり、また、取付アタッチメントの係合突片は一側片側から他側片側に突出しているため、取り付ける際には見込み方向に形成された係合孔に係合突片を位置を合わせながら嵌合しなければならず、取り付け作業が煩雑である。また、取付アタッチメントは樹脂製であり、上框と取付アタッチメントとはビスが螺合されて固定されているため、外障子の着脱を繰り返すと取り付けられなくなる虞があるという課題がある。
【０００５】
本発明は、かかる課題に鑑みてなされたものであり、その目的とするところは、高い風圧等にも耐え得る強度を備え、かつ、容易に着脱可能な固定障子を備えた建具及び建具の取付方法を提供することにある。
【課題を解決するための手段】
【０００６】
かかる目的を達成するために本発明の建具は、室内外を連通する開口に設けられる枠体と、前記枠体内に固定され前記開口の一部を閉塞する固定障子と、前記開口において前記固定障子にて閉塞されていない領域を閉塞可能であり、前記枠体に沿って移動可能な移動障子と、を有し、前記固定障子が有する框の外周部には外側に向かって開放された框側溝部を有し、前記枠体の内周部には内側に向かって開放された枠側溝部を有し、前記固定障子は、前記框側溝部と前記枠側溝部とにそれぞれ嵌合される嵌合部材にて見込み方向の移動が規制されていることを特徴とする建具である。
【０００７】
このような建具によれば、固定障子が有する框の外周部に設けられた外側に向かって開放された框側溝部と、枠体の内周部に設けられた内側に向かって開放された枠側溝部とにそれぞれ嵌合される嵌合部材にて固定障子の見込み方向の移動が規制されているので、固定障子を風圧等に耐えうるように枠体に保持させることが可能である。また、嵌合部材は框側溝部と枠側溝部とに嵌合されているだけなので、工具等を用いることなく固定障子を枠体に着脱することが可能である。
【０００８】
かかる建具であって、前記固定障子は、前記枠体を構成する縦枠に嵌合された前記嵌合部材と、前記框側溝部と前記枠側溝部とに嵌合されるとともに、前記固定障子を構成する召し合わせ框の側面に当接される規制部材と、にて見付け方向の移動が規制されることが望ましい。  
このような建具によれば、固定障子は、縦枠に嵌合された嵌合部材のみならず、框側溝部と枠側溝部とに嵌合されるとともに、固定障子を構成する召し合わせ框の側面に当接される規制部材によっても見付け方向の移動が規制されるので、固定障子を見付け方向の移動を確実に規制すべく固定して取り付けることが可能である。
【０００９】
かかる建具であって、前記嵌合部材は、前記枠体側に向かって突出する突起を有し、前記枠体は、前記突起が挿入される孔部を有し、前記嵌合部材は、前記孔部に前記突起が挿入されて位置決めされることが望ましい。  
このような建具によれば、框側溝部と枠側溝部とに嵌合された嵌合部材の突起が枠体の孔部に挿入されて位置決めされるので、嵌合部材を枠側溝部に沿ってスライドさせるだけで位置決めすることが可能である。また、突起が孔部に挿入されることにより嵌合部材の移動が規制されるので、固定障子をより安定した状態にて取り付けることが可能である。
【００１０】
かかる建具であって、前記框側溝部及び前記枠側溝部の開放された端部には、見込み方向の幅が前記框側溝部及び前記枠側溝部の内部の見込み方向の幅より狭くなるような突片が設けられており、前記嵌合部材は、前記框側溝部の内部または前記枠側溝部の内部に挿入されて前記突片に係合され、前記固定障子と前記枠体とを連結することが望ましい。  
このような建具によれば、框側溝部及び枠側溝部の開放された端部に設けられた突片は、見込み方向の幅が框側溝部及び枠側溝部の内部の見込み方向の幅より狭くなるように形成されているので、嵌合部材を、框側溝部の内部または枠側溝部の内部に挿入するだけで確実に框側溝部及び枠側溝部に嵌合される。このため、嵌合部材により枠体と固定障子とを容易にかつ確実に連結することが可能である。
【００１１】
かかる建具であって、前記枠側溝部の前記固定障子にて覆われない部位を塞ぐ閉塞部材を有することが望ましい。  
枠側溝部の固定障子にて覆われない部位は、美観を損なうとともに、埃や汚れが取り除きにくい部位となるので、閉塞部材にて塞ぐことにより美観に優れた建具を提供することが可能である。
【００１２】
かかる建具であって、前記枠体は、前記突片が切り欠かれた切欠部を有しており、前記嵌合部材は、前記切欠部から前記枠側溝部に挿入されて見付け方向に移動されることが望ましい。  
このような建具によれば、枠体の切欠部から枠側溝部に嵌合部材が挿入されるので、嵌合部材を無理なく容易に嵌合させることが可能である。
【００１３】
かかる建具であって、前記切欠部は、固定された前記固定障子又は前記閉塞部材にて覆われることが望ましい。  
枠体の切欠部は固定障子が取り付けられた後には必要ないので、固定障子が取り付けられる前に嵌合部材を嵌合させ、取り付けられた固定障子により切欠部が覆われることにより、取り付けやすく、かつ、美観に優れた建具を提供することが可能である。
【００１４】
また、前記切欠部は、前記閉塞部材にて覆われることとしてもよい。  
このような建具によれば、切欠部が閉塞部材に覆われるので、切欠部が露出せず、美観に優れた建具を提供することが可能である。
【００１５】
また、室内外を連通する開口に設けられ縦枠と横枠とが枠組みされた枠体と、前記枠体内に固定され前記開口の一部を閉塞する固定障子と、前記開口における前記固定障子にて閉塞されていない領域を閉塞可能であり、見付け方向に沿って移動可能な移動障子と、を有する建具の取付方法であって、前記固定障子が有する框の外周部に設けられ外側に向かって開放された框側溝部及び前記枠体の内周部に設けられ内側に向かって開放された枠側溝部にそれぞれ嵌合される嵌合部材を、前記枠体に嵌合すること、前記固定障子を、前記枠体の内側であって前記固定障子が固定される領域と異なる領域から見付け方向に移動させることにより前記嵌合部材と嵌合させて所定の位置に配置すること、を有することを特徴とする建具の取付方法である。
【００１６】
このような建具の取付方法によれば、框側溝部及び枠側溝部にそれぞれ嵌合される嵌合部材は枠体に嵌合されるので高い風圧等にも耐え得るように固定障子を取り付けることが可能である。また、框側溝部及び枠側溝部にそれぞれ嵌合される嵌合部材は枠体に嵌合されると、框側溝部に嵌合される部位が枠体から突出するが、固定障子を、当該固定障子が固定される領域と異なる領域から見付け方向に移動させて嵌合部材と嵌合させるので、枠体に嵌合された嵌合部材に固定障子を容易に嵌合させることが可能である。また、所定の位置にて取り付けられている固定障子を異なる領域に移動させることにより、固定障子と嵌合部材との嵌合を容易に解除することが可能である。このため、容易に着脱可能な固定障子を有する建具を提供することが可能である。
【００１７】
かかる建具の取付方法であって、前記框側溝部と前記枠側溝部とに嵌合されるとともに、前記固定障子を構成する召し合わせ框の側面に当接される規制部材を、前記横枠に固定して当該固定障子の見付け方向の移動を規制すること、を有することが望ましい。  
このような建具の取付方法によれば、框側溝部と枠側溝部とに嵌合されるとともに、固定障子を構成する召し合わせ框の側面に当接される規制部材が横枠に固定されるので、固定障子の見付け方向の移動を確実に規制することが可能である。
【００１８】
かかる建具の取付方法であって、前記嵌合部材を、見付け方向において間隔を隔てて設けられた一対の前記縦枠のうちの一方の前記縦枠に嵌合し、前記横枠における他方の前記縦枠側にスライド可能に嵌合し、前記固定障子を前記縦枠に嵌合させた前記嵌合部材と嵌合させて前記所定の位置に配置した後に、前記横枠に嵌合させた前記嵌合部材を前記枠側溝部に沿ってスライドさせて、前記固定障子と嵌合させることが望ましい。  
このような建具の取付方法によれば、固定障子を取り付ける際の移動距離が小さいため固定障子を取り付ける作業が容易である。
【００１９】
かかる建具の取付方法であって、前記嵌合部材を、見付け方向において間隔を隔てて設けられた一対の前記縦枠のうちの一方の前記縦枠と、前記横枠との決められた位置に嵌合し、前記固定障子を、前記横枠の前記嵌合部材が嵌合されていない領域から見付け方向に移動させることにより当該嵌合部材と嵌合させることとしても良い。  
このような建具の取付方法によれば、嵌合部材を縦枠と横枠とに嵌合した後に固定障子を移動させるだけで、より容易に固定障子と嵌合部材とを嵌合させることが可能である。
【００２０】
また、室内外を連通する開口に設けられ縦枠と横枠とが枠組みされた枠体と、前記枠体内に固定され前記開口の一部を閉塞する固定障子と、前記開口における前記固定障子にて閉塞されていない領域を閉塞可能であり、見付け方向に沿って移動可能な移動障子と、を有する建具の取付方法であって、前記固定障子が有する框の外周部に設けられ外側に向かって開放された框側溝部及び前記枠体の内周部に設けられ内側に向かって開放された枠側溝部にそれぞれ嵌合される嵌合部材を、見付け方向において間隔を隔てて設けられた一対の前記縦枠のうちの一方の前記縦枠と、前記横枠との決められた位置に嵌合し、前記固定障子を、見込み方向に移動させて前記嵌合部材と嵌合させることを特徴とする建具の取付方法である。  
このような建具の取付方法によれば、嵌合部材を縦枠と横枠とに嵌合した後に固定障子を見込み方向に移動させる僅かな移動だけでさらに容易に固定障子を嵌合部材に嵌合させることが可能である。
【発明の効果】
【００２１】
本発明によれば、高い風圧等にも耐え得る強度を備え、かつ、容易に着脱可能な固定障子を備えた建具を提供することが可能である。
【発明を実施するための最良の形態】
【００２２】
以下、本発明の一実施形態に係る建具について図面を参照して説明する。  
本実施形態の建具１は、図１に示すような、室内外を連通する建物の開口に設けられる枠体と、枠体内に固定され開口の一部を閉塞し、面材としてのガラス３が嵌め付けられて移動しない固定障子２０と、固定障子２０にて閉塞されない領域を閉塞可能であり、枠体１１に沿って移動可能な移動障子５とを備えた建具１を例に挙げて説明する。
【００２３】
この建具１は、図２、図３に示すように、枠体１１の見込み方向におけるほぼ中央より室外側の領域に固定障子２０が設けられ、ほぼ中央より室内側の領域は移動障子５が移動可能な領域となっている。以下の説明においては、建具１を室外側から見たときに上下となる方向を上下方向、左右となる方向を左右方向または見付け方向、室内外方向である奥行き方向を見込み方向として示す。また、本発明の特徴的な部分は、本実施形態においては固定障子２０に含まれるため、以下では、主に固定障子２０について説明する。
【００２４】
枠体１１は、室内外を仕切る壁の開口に設けられ、押し出し成形部材である上枠１２、下枠１３、左右の縦枠１４、１５が矩形状に枠組みされて構成されている。上枠１２、下枠１３、左右の縦枠１４、１５は、いずれも同一の断面形状をなす押し出し成形部材であり、４５度に切断された両端部が互いに突き合わされて接合されている。
【００２５】
上枠１２、下枠１３、左右の縦枠１４、１５は、いずれも見込み方向における室内側に移動障子５の周縁部が収容される収容凹部１６と、室外側に固定障子２０が装着される装着部１７が設けられている。そして、上枠１２、下枠１３、左右の縦枠１４、１５は、同一断面形状をなしているので、収容凹部１６及び装着部１７は枠体１１の全周に渡って形成されている。本実施形態の建具１は、室外側から見て開口の右側が固定障子２０にて閉塞され、左側が移動障子５にて開閉可能に構成されているため、移動障子５は、右の縦枠１５側には移動しない。このため移動障子５の外周部が右の縦枠１５の収容凹部１６に収容されることはない。
【００２６】
下枠１３の収容凹部１６には、移動障子５を案内するためのレール部材１０が見付け方向の全域にわたって嵌合されている。  
収容凹部１６の屋外側の壁部１６ａをなすとともに収容凹部１６と装着部１７との境界となる境界壁１８の屋外側に臨む面は、固定障子２０を構成する框が対向して配置される框対向部１７ａをなしている。  
装着部１７は、框対向部１７ａと、この框対向部１７ａと繋がってほぼ直角をなす水平面を有する内周部としての内周面部１７ｂとを有している。内周面部１７ｂには、見込み方向におけるほぼ中央に見付け方向に沿って枠側溝部１９が形成されている。
【００２７】
枠側溝部１９は、枠体１１が囲む空間の内側に向かって開放された溝部であり、枠側溝部１９の開放された端部には、見込み方向の幅が枠側溝部１９の内部１９ａより狭くなるような突片１９ｂが設けられている。すなわち、装着部１７の内周面部１７ｂ側の縁に見込み方向に突出する突片１９ｂが設けられている。
【００２８】
この突片１９ｂは、見付け方向のほぼ全域に渡って設けられているが、図４に示すように、固定障子２０が取り付けられる領域の一部には突片１９ｂが切り欠かれた切欠部１９ｃが形成されており、この切欠部１９ｃから後述する嵌合部材としての棒状嵌合部材３０及び規制部材５５が挿入される。このため、切欠部１９ｃは、後述する棒状嵌合部材３０及び規制部材５５の長さより長く、また、幅も広く形成されている。また、枠側溝部１９の底１９ｅには、後述する棒状嵌合部材３０の突起３１ｂが挿入されて位置決めされる位置決め孔１９ｄが形成されている。
【００２９】
下枠１３の枠側溝部１９の、固定障子２０が取り付けられた際に当該固定障子２０にて覆われない部位及び左側の縦枠（以下、左縦枠という）１４の枠側溝部１９には、枠側溝部１９を塞ぐ閉塞部材２８が設けられている。また、閉塞部材２８は、上枠１２の枠側溝部１９の、固定障子２０が取り付けられた際に当該固定障子２０にて覆われない部位に設けても良い。
【００３０】
また、装着部１７の室外側に上枠１２と下枠１３とに網戸６０が移動されるレール６１が設けられており、同一断面形状をなす左右の縦枠１４、１５にも繋がっている。
【００３１】
固定障子２０は、面材としてのガラス３と、矩形状に枠組みされた框体２０ａと、框体２０ａとともにガラス３を挟持する押縁２０ｂとを有している。ガラス３は、２枚のガラス板の周縁間にスペーサや封着剤を介在させて、互いに間隔を隔てて対面させた２層構造をなしている。
【００３２】
框体２０ａは、押し出し成形部材でなる上框２１、下框２２、左右の縦框２３、２４が、４５度に切断された各々の両端部が互いに突き合わされて接合されている。枠組みされた框体２０ａの外周部としての外周面２０ｃには、固定障子２０を枠体１１に取り付けた際に枠側溝部１９と対向する位置に、框体２０ａの外側向かって開放された框側溝部２５が設けられている。
【００３３】
この框側溝部２５の開放された端部には、見込み方向の幅が框側溝部２５の内部２５ａより狭くなるような突片２５ｂが設けられている。すなわち、框体２０ａの外周面２０ｃ側の縁に見込み方向に突出する突片２５ｂが設けられている。
【００３４】
このような固定障子２０は、ほぼ直方体状をなす成形部材である棒状嵌合部材３０、及び、角部を連結するための鉤状嵌合部材５０を用いて枠体１１に取り付けられる。また、框側溝部２５と枠側溝部１９とに嵌合されるとともに、固定障子２０を構成する召し合わせ框（左の縦框）２３の側面２３ａに当接される規制部材５５により固定障子２０の見付け方向の移動が規制されている。
【００３５】
棒状嵌合部材３０は、長手方向が枠側溝部１９及び框側溝部２５に沿うように配置されて嵌合される。棒状嵌合部材３０は、図５〜図７に示すように、枠側溝部１９に収容される枠側被収容部３１と框側溝部２５に収容される框側被収容部３３とそれらを連結する連結部３５とで構成されている。そして、図２、図３に示すように、棒状嵌合部材３０は、上枠１２と上框２１との間、下枠１３と下框２２との間、右の縦枠（以下、右縦枠という）１５と右の縦框２４との間に、それぞれ介在され、上枠１２、下枠１３、右縦枠１５の枠側溝部１９と上框２１、下框２２、縦框２４の框側溝部２５とにそれぞれ嵌合されて枠体１１と框体２０ａとを連結し、固定障子２０の見込み方向への移動を規制する。
【００３６】
以下の説明では、棒状嵌合部材３０が、枠側溝部１９と框側溝部２５とに嵌合された状態にて、室内に向かう方向を室内方向、室外に向かう方向を室外方向、枠側溝部１９の底１９ｅに向かう方向を枠体方向、框側溝部２５の底に向かう方向を框体方向、見付け方向、見込み方向として方向を示す。  
棒状嵌合部材３０の長手方向における両端部３０ａは、各々先端に向かって細くなるようなテーパー状に形成されている。
【００３７】
枠側被収容部３１は、枠側溝部１９に収容された際に、枠側溝部１９側が連結部３５より見込み方向に突出する突出部３１ｃを有しており、枠側溝部１９の深さ方向におけるほぼ半分の位置から底１９ｅ側に向かって見込み方向の幅が狭くなるようなテーパー状に形成されている。また、枠側被収容部３１には、枠側溝部１９の底１９ｅと対向する面３１ａの中央に、棒状嵌合部材３０を位置決めするための突起３１ｂが設けられている。
【００３８】
框側被収容部３３は、長手方向にてテーパー状に形成された両端部３０ａを除く部位が、室内側と室外側とにそれぞれ４つの領域、すなわち合計８つの領域に区分けされ、各領域には框体方向に開放された中空部３３ａが形成されている。
【００３９】
各中空部３３ａが形成されている室外側の領域の室外側の壁部３３ｃと、室内側の領域の室内側の壁部３３ｃとには、それぞれ長手方向の両端部にスリット３３ｂが形成されている。各領域のスリット３３ｂ間の壁部３３ｃは、連結部３５より見込み方向に突出する突出部３３ｄを有しており、框体方向におけるほぼ半分の位置から底２５ｃ側に向かって見込み方向の幅が狭くなるようなテーパー状に形成されている。そして、前記スリット３３ｂは突出部３３ｄより枠側被収容部３１側まで形成されている。このため、各領域のスリット３３ｂ間の壁部３３ｃは、弾性により中空部３３ａの内方に向かって屈曲可能である。このとき、棒状嵌合部材３０に設けられた８つの中空部３３ａは、壁部３３ｃがより大きく屈曲するように、框側被収容部３３のみならず連結部３５や枠側被収容部３１まで繋がっていてもよい。
【００４０】
鉤状嵌合部材５０は、枠側溝部１９に嵌合される枠側被嵌合部５１と框側溝部２５に嵌合される框側被嵌合部５３とをそれぞれ備えた一対の嵌合部５２がほぼ直角をなすように連結されて構成されている。一対の嵌合部５２は同じ構成なので、ここでは一方の嵌合部５２について説明する。
【００４１】
嵌合部５２は、長手方向のほぼ中央にて２つの領域に区分けされ、先端に框側溝部２５に嵌合される框側被嵌合部５３が形成され、連結されている側に枠側溝部１９に嵌合される枠側被嵌合部５１が形成されている。
【００４２】
框側被嵌合部５３は、室内側と室外側との２つの領域に区分けされており、各領域には框体方向に開放された中空部５３ａが形成されている。各中空部５３ａを形成している室内側及び室外側の部位には、それぞれ長手方向の両端部にスリット５３ｂが形成されている。各領域のスリット５３ｂ間の壁部５３ｃは、枠側溝部１９に収容される部位５３ｄより見込み方向に突出する突出部５３ｅを有しており、框側溝部２５の深さ方向におけるほぼ半分の位置から框側溝部２５の底２５ｃ側に向かって見込み方向の幅が狭くなるようなテーパー状に形成されている。そして、前記スリット５３ｂは突出部５３ｅより枠体１１に収容される側の端近傍まで形成されている。このため、各領域のスリット５３ｂ間の壁部５３ｃは、弾性により中空部５３ａの内方に向かって屈曲可能である。また、框側被嵌合部５３は、長手方向における先端側のほぼ半分は、先端に向かって細くなるようにテーパー状に形成されている。
【００４３】
框側被嵌合部５３より連結側に設けられている枠側被嵌合部５１も、室内側と室外側との２つの領域に区分けされており、各領域には枠体方向に開放された中空部５１ａが形成されている。各中空部５１ａを形成している室内側及び室外側の部位には、それぞれ長手方向の両端部にスリット５１ｂが形成されている。各領域のスリット５１ｂ間の壁部５１ｃは、框側溝部２５に収容される部位５１ｄより見込み方向に突出する突出部５１ｅを有しており、枠側溝部１９の深さ方向におけるほぼ半分の位置から枠側溝部１９の底１９ｅ側に向かって見込み方向の幅が狭くなるようなテーパー状に形成されている。そして、前記スリット５１ｂは突出部５１ｅより框体２０ａに収容される側の端近傍まで形成されている。このため、各領域のスリット５１ｂ間の壁部５１ｃは、弾性により中空部５１ａの内方に向かって屈曲可能である。
【００４４】
規制部材５５は、棒状嵌合部材３０における長手方向のほぼ半分の部位でなり、框側溝部２５と枠側溝部１９とに嵌合される本体嵌合部５６と、本体嵌合部５６の長手方向における一方の端部の框側溝部２５側に突出されて召し合わせ框２３の側面に当接される規制部５７と、を有している。本体嵌合部５６は、棒状嵌合部材３０を見込み方向に沿って切断した切断面の外周部の輪郭とほぼ同様の輪郭を有する中実の部材である。すなわち、規制部材５５には、棒状嵌合部材３０のような中空部は設けられていない。
【００４５】
本体嵌合部５６は、規制部５７が設けられている側の端部に、規制部材５５を枠体１１に、枠体１１の内側から外側に向かって斜めに進入するビスにて固定するための固定用貫通孔５８が形成されている。また、規制部５７が設けられていない側の端部には、室内側から室外側に向かい、かつ、枠体１１の内側から外側に向かって斜めに進入するビスが枠体１１と框体２０ａと螺合し、規制部材５５を貫通して規制部材５５の見付け方向の移動を規制するための規制用貫通孔５９が形成されている。
【００４６】
規制部５７は、召し合わせ框２３の側面２３ａに当接される部位５７ａから召し合わせ框２３側に突出され、召し合わせ框２３に形成された孔（不図示）に挿入されるピン５７ｂが突設されている。また、規制部５７のピン５７ｂが設けられていない側の部位には、規制部材５５を固定するためのビスを隠すためのカバー部材７０が係止される係止部５７ｃが設けられている。
【００４７】
本実施形態の建具１によれば、固定障子２０が有する框体２０ａの外周部に設けられた外側に向かって開放された框側溝部２５と、枠体１１の内周面部１７ｂに設けられた内側に向かって開放された枠側溝部１９とにそれぞれ嵌合される棒状嵌合部材３０にて固定障子２０の見込み方向の移動が規制されているので、固定障子２０を風圧等に耐えうるように枠体１１に保持させることが可能である。また、棒状嵌合部材３０は框側溝部２５と枠側溝部１９とに嵌合されているだけなので、工具等を用いることなく固定障子２０を枠体１１から取り外すことが可能である。
【００４８】
また、固定障子２０は、右縦枠１５に嵌合された棒状嵌合部材３０のみならず、框側溝部２５と枠側溝部１９とに嵌合されるとともに、固定障子２０を構成する召し合わせ框２３の側面２３ａに当接される規制部材５５によっても見付け方向の移動が規制されるので、固定障子２０を確実に固定して取り付けることが可能である。
【００４９】
また、框側溝部２５と枠側溝部１９とに嵌合された棒状嵌合部材３０は、突起３１ｂが枠体１１の位置決め孔１９ｄに挿入されて位置決めされるとともに棒状嵌合部材３０の移動が規制されるので、固定障子２０をより安定した状態にて取り付けることが可能である。
【００５０】
また、框側溝部２５及び枠側溝部１９の開放された端部に設けられた突片１９ｂ、２５ｂは、見込み方向の幅が框側溝部２５及び枠側溝部１９の内部１９ａ、２５ａの見込み方向の幅より狭くなるように形成されており、棒状嵌合部材３０は、框側溝部２５の内部２５ａまたは枠側溝部１９の内部１９ａに挿入されて、突片１９ｂ、２５ｂに係合するので、確実に框側溝部２５及び枠側溝部１９に嵌合され、枠体１１と固定障子２０とを連結することが可能である。
【００５１】
また、枠体１１の切欠部１９ｃから枠側溝部１９に棒状嵌合部材３０が挿入されるので、棒状嵌合部材３０を無理なく容易に枠側溝部１９に嵌合させることが可能である。そして、切欠部１９ｃは、固定障子２０が取り付けられた後には必要ないので、固定障子２０が取り付けられる前に棒状嵌合部材３０を嵌合させ、取り付けられた固定障子２０により切欠部１９ｃが覆われることにより、取り付けやすく、かつ、美観に優れた建具１を提供することが可能である。上記実施形態においては、切欠部１９ｃを棒状嵌合部材３０及び規制部材５５の幅よりも広く形成させる構成としたが、切欠部１９ｃに棒状嵌合部材３０及び規制部材５５を回転させながら挿入する場合には、必ずしも幅が広くなくとも良い。
【００５２】
ところで、枠側溝部１９の固定障子２０にて覆われない部位は、そのまま露出すると美観を損なうとともに、埃や汚れが取り除きにくいので、枠側溝部１９において固定障子２０にて覆われない部位を閉塞部材２８にて塞ぐことにより美観に優れ、またメンテナンス性に優れたた建具１を提供することが可能である。上記実施形態においては、上枠１２および左縦枠１４の枠側溝部１９にも閉塞部材２８を取り付けた構成としたが、上枠１２および左縦枠１４の枠側溝部１９には、必ずしも閉塞部材２８が取り付けられていなくとも良い。
【００５３】
また、切欠部１９ｃが固定障子２０にて覆われない位置に設けられている場合には、閉塞部材２８にて切欠部１９ｃが覆われることとしても良い。この場合には、切欠部１９ｃが固定障子２０に覆われなくとも閉塞部材２８に覆われるので、切欠部１９ｃが露出せず、美観に優れた建具１を提供することが可能である。
【００５４】
次に、本実施形態の建具１の取付方法の一例を図１３を参照しつつ説明する。  
まず、枠体１１を躯体に取り付け、枠体１１の角部、すなわち、固定障子２０が取り付けられる側の縦枠（ここでは右縦枠）１５と上枠１２及び下枠１３の枠側溝部１９に、図１３（ａ）に示すように鉤状嵌合部材５０を嵌合する。このとき、鉤状嵌合部材５０は、上枠１２または下枠１３の枠側溝部１９に嵌合した後、上枠１２または下枠１３に沿ってスライドさせて右縦枠１５に嵌合しても、右縦枠１５に嵌合させた後、右縦枠１５に沿ってスライドさせて上枠１２または下枠１３に嵌合しても、いずれの手順であってもよく、また、右縦枠１５と上枠１２または下枠１３の枠側溝部１９に一挙に嵌合してもよい。
【００５５】
次に、右縦枠１５に棒状嵌合部材３０を右縦枠１５に設けられた切欠部１９ｃから枠側溝部１９に挿入し、右縦枠１５に沿ってスライドさせ位置決め孔１９ｄに挿入して配置する。図１３の例では、右縦枠１５に嵌合される棒状嵌合部材３０を１つとしたが、右縦枠１５の長さに応じて適宜備えても良い。
【００５６】
次に、上枠１２及び下枠１３に、規制部材５５を仮配置する。規制部材５５は、固定障子２０が所定の位置に配置された後に固定される部材であるが、固定障子２０が取り付けられた後には、切欠部１９ｃが固定障子２０にて覆われてしまうため、予め固定障子２０が取り付けられる領域から外れた位置に仮配置しておく。このため、規制部材５５を上枠１２または下枠１３の切欠部１９ｃから枠側溝部１９に挿入し、上枠１２または下枠１３に沿ってスライドさせて左縦枠１４側に仮配置する。
【００５７】
そして、上枠１２及び下枠１３にも、棒状嵌合部材３０を配置する。このとき、棒状嵌合部材３０を上枠１２及び下枠１３に設けられた切欠部１９ｃから枠側溝部１９に挿入し、上枠１２及び下枠１３に沿ってスライドさせ位置決め孔１９ｄに挿入して配置する。この場合には、所定の位置に配置された固定障子２０の下に棒状嵌合部材３０が位置するように位置決め孔１９ｄが形成されている。
【００５８】
その後、図１３（ｂ）に示すように、固定障子２０を、枠体１１の内側であって既に上枠１２及び下枠１３に配置された棒状嵌合部材３０と、上枠１２及び下枠１３とに仮配置された規制部材５５との間から本来固定障子２０が配置されるべき位置に移動させることにより、固定障子２０の框側溝部２５に、上枠１２、下枠１３、右縦枠１５に配置された棒状嵌合部材３０及び枠体１１の角部に配置された鉤状嵌合部材５０を嵌合させる。すなわち、固定障子２０が固定される領域と異なる領域から見付け方向に、固定障子２０を移動させることにより棒状嵌合部材３０及び鉤状嵌合部材５０を框側溝部２５に嵌合させて固定障子２０を本来固定されるべき所定の位置に配置する。この状態で、固定障子２０は枠体１１に保持される。
【００５９】
そして、図１３（ｃ）に示すように、予め仮配置しておいた規制部材５５を、上枠１２及び下枠１３に沿ってスライドさせ、規制部材５５が有する本体嵌合部５６を框側溝部２５に嵌合させるとともに、規制部５７を召し合わせ框２３の左側の側面に当接させピン５７ｂを召し合わせ框の孔に挿入させる。その後、規制部材５５の固定用貫通孔５８にビスを斜めに貫通させ上枠１２及び下枠１３に螺合して規制部材５５を固定する。ビスにて規制部材５５を固定した後に、図１３（ｄ）に示すように、規制部材５５の左側の面を覆うようなカバー部材７０を、規制部材５５の係止部５７ｃに係合することにより、ビス及び固定用貫通孔５８を覆い隠す。
【００６０】
その後に、室内側から枠体１１と框体２０ａとを規制部材５５と重なる位置でビスにて斜めに螺合する。このビスは枠体１１側から挿入されて移動規制部材５５に至る位置より十分に長いため、框体２０ａを貫通して規制部材５５の規制用貫通孔５９をも貫通して枠体１１に螺合される。これにより、規制部材５５を固定しているビスが外されたとしても、規制部材５５の見付け方向への移動は規制されている。最後に、固定障子２０より室内側の領域に移動障子５を配置する。
【００６１】
本実施形態の建具１の取付方法によれば、框側溝部２５及び枠側溝部１９にそれぞれ嵌合される棒状嵌合部材３０は、枠体１１に嵌合されると枠体１１から突出するが、固定障子２０を、当該固定障子２０が固定される領域と異なる領域から見付け方向に移動させて棒状嵌合部材３０と嵌合させるので、枠体１１に嵌合された棒状嵌合部材３０に固定障子２０を容易に嵌合させることが可能である。また、取り付けられている固定障子２０を異なる領域に移動させることにより、固定障子２０と棒状嵌合部材３０との嵌合を容易に解除することが可能である。このため、容易に着脱可能な固定障子２０を有する建具１を提供することが可能である。
【００６２】
また、框側溝部２５と枠側溝部１９とに嵌合されるとともに、固定障子２０を構成する召し合わせ框２３の側面２３ａに当接される規制部材５５が上枠１２及び下枠１３に固定されるので、固定障子２０の見付け方向の移動を確実に規制することが可能である。
【００６３】
また、棒状嵌合部材３０を、右縦枠１５と、上枠１２及び下枠１３との決められた位置に嵌合し、固定障子２０を、上枠１２及び下枠１３の棒状嵌合部材３０が嵌合されていない領域から見付け方向に移動させて棒状嵌合部材３０と嵌合させたので、棒状嵌合部材３０を右縦枠１５と上枠１２及び下枠１３とに嵌合した後に固定障子２０を移動させるだけでより容易に固定障子２０と棒状嵌合部材３０とを嵌合させることが可能である。
【００６４】
次に、本実施形態の建具１の取付方法の変形例を、図１４を参照しつつ説明する。  
変形例の建具の取付方法は、上枠１２及び下枠１３に規制部材５５を仮配置するまでは、上記実施形態と同じである。
【００６５】
上枠１２及び下枠１３に規制部材５５を仮配置した後に、図１４（ａ）に示すように、さらに上枠１２及び下枠１３に、棒状嵌合部材３０を仮配置する。このとき、棒状嵌合部材３０を規制部材５５と同様に上枠１２または下枠１３の切欠部１９ｃから枠側溝部１９に挿入し、上枠１２または下枠１３に沿ってスライドさせて左縦枠１４側に仮配置する。
【００６６】
その後、図１４（ａ）に示すように、固定障子２０を、枠体１１の内側であって既に右縦枠１５に配置された棒状嵌合部材３０及び鉤状嵌合部材５０と、上枠１２及び下枠１３とに仮配置された棒状嵌合部材３０との間から本来固定障子２０が配置されるべき位置に移動させることにより、固定障子２０の框側溝部２５に、上枠１２、下枠１３、右縦枠１５に配置された棒状嵌合部材３０及び鉤状嵌合部材５０を嵌合させる。この状態で、固定障子２０は、枠体１１に保持される。
【００６７】
そして、図１４（ｂ）に示すように、まず予め仮配置しておいた棒状嵌合部材３０を上枠１２または下枠１３に沿ってスライドさせ上框２１または下框２２の框側溝部２５に嵌合させる。このとき、嵌合された棒状嵌合部材３０は固定障子２０の左端に位置している。この棒状嵌合部材３０の突起３１ｂが位置決め孔１９ｄに挿入される位置まで棒状嵌合部材３０をスライドさせるために上枠１２と上框２１との間、下枠１３と下框２２との間に薄板状の治具を挿入させ、治具を右方向に移動させることにより棒状嵌合部材３０を、突起３１ｂが位置決め孔１９ｄに挿入される位置までスライドさせて位置決めする。
【００６８】
その後の規制部材５５の固定及び移動障子５の取り付けは、図１４（ｃ）、図１４（ｄ）に示すように、上記実施形態と同じである。
【００６９】
変形例の建具１の取付方法によれば、棒状嵌合部材３０を、右縦枠１５に嵌合し、上枠１２及び下枠１３における左縦枠１４側にスライド可能に嵌合し、固定障子２０を右縦枠１５に嵌合させた棒状嵌合部材３０と嵌合させて所定の位置に配置した後に、上枠１２及び下枠１３に嵌合させた棒状嵌合部材３０を枠側溝部１９に沿ってスライドさせて、固定障子２０と嵌合させたので、固定障子２０を取り付ける際の移動距離が短いため容易に固定障子２０を取り付けることが可能である。
【００７０】
上記実施形態及び変形例では、上枠１２及び下枠１３に棒状嵌合部材３０をそれぞれ１つずつ設けた例について説明したが、固定障子２０の見付け方向における幅に応じて上枠１２及び下枠１３に複数の棒状嵌合部材３０を設けても良い。この場合には、上枠１２または下枠１３に配置する複数の棒状嵌合部材３０をすべて、固定障子２０を取り付ける前に配置しておいても良いし、また、すべての棒状嵌合部材３０を予め左縦枠１４側に仮配置し、固定障子２０を取り付けた後に、上枠１２または下枠１３に沿ってスライドさせても良い。さらに、上枠１２または下枠１３に複数設けられる棒状嵌合部材３０のうちのいくつかを固定障子２０を取り付ける前に配置しておき、残りの棒状嵌合部材３０を予め左縦枠１４側に仮配置し、固定障子２０を取り付けた後に、上枠１２または下枠１３に沿ってスライドさせても良い。
【００７１】
また、規制部材５５は、固定障子２０が本来取り付けられる位置に配置された後に、左縦枠１４と固定障子２０の召し合わせ框２３との間にて枠体１１に嵌合しスライドさせて召し合わせ框に当接させて固定しても良い。
【００７２】
上記実施形態においては、固定障子２０を枠体１１の内側であって固定障子２０が固定される領域と異なる領域から見付け方向に固定障子２０を移動させて枠体１１に取り付ける方法について説明したが、この限りではない。例えば、枠体１１に予め嵌合部材を配置しておき、固定障子２０を見込み方向に移動させることにより固定障子２０と嵌合部材とを嵌合させて固定障子２０を取り付けても良い。この場合には、図１５に示すような、見込み方向嵌合部材３６を用いることが望ましい。見込み方向嵌合部材３６は、前記棒状嵌合部材３０と枠側被収容部はほぼ同じであるが、棒状嵌合部材３０の連結部３５より低く形成された見込み方向嵌合部材３６の連結部３６ｃから框側溝部側に突出する框側突出片３６ａが設けられている点で相違する。以下の説明においては、上記実施形態と同様または相当する構成部品には、同じ符号を付してその説明を省略または簡略化する。
【００７３】
具体的には、見込み方向嵌合部材３６の枠側被収容部３６ｂには、連結部３６ｃの室内側の部位から室内側に向かって框側溝部２５の底２５ｃに順次近づくような傾斜を有する板状の框側突出片３６ａが設けられている。この框側突出片３６ａは弾性により弾性変形可能である。
【００７４】
上記のような見込み方向嵌合部材３６を上枠１２、下枠１３、右縦枠１５のそれぞれ切欠部１９ｃから枠側溝部１９に挿入しスライドさせて位置決め孔１９ｄに突起３１ｂを嵌合させて見込み方向嵌合部材３６を所定の位置に配置しておく。そして固定障子２０を見込み方向に移動させて枠体１１の内側に配置する際に、框体２０ａの室内側の部位が框側突出片３６ａを枠側被収容部３６ｂ側に押圧しつつ枠体１１の内側に進入する。その後、固定障子２０が見込み方向の所定の位置に移動した際に、押圧されて弾性変形していた框側突出片３６ａが弾性により起き上がって框側溝部２５に入り込んで嵌合され固定障子２０が保持される。
【００７５】
このような建具１の取付方法によれば、見込み方向嵌合部材３６を右縦枠１５と上枠１２及び下枠１３とに嵌合した後に固定障子２０を見込み方向に移動させる僅かな移動だけでさらに容易に固定障子２０を見込み方向嵌合部材３６に嵌合させて固定障子２０を取り付けることが可能である。
【００７６】
本実施形態では、見込み方向嵌合部材３６を上記実施形態の棒状嵌合部材３０と同様に切欠部１９ｃから枠側溝部１９に挿入しスライドさせて位置決め孔１９ｄに突起３１ｂを嵌合させたが、例えば、図１６に示すように、枠側被収容部３６ｂを枠側溝部１９に嵌合させてビス７２にて枠体１１に固定しても良い。
【００７７】
また、上記実施形態においては、移動障子５が左右方向に移動可能な片引き窓用の建具を例に挙げて説明したが、図１７に示すような開口枠内を移動障子が垂直方向に移動可能に設けられた上げ下げ窓であっても構わない。この場合には、固定障子２０は、上枠１２及び左右の縦枠１４、１５に嵌合された棒状嵌合部材３０及び鉤状嵌合部材５０と框体２０ａとが嵌合され、固定障子２０の下端側に規制部材５５が固定されている。
【００７８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００７９】
【図１】本実施形態に係る建具を室外側からみた外観図である。
【図２】本実施形態に係る建具の平断面図である。
【図３】本実施形態に係る建具の縦断面図である。
【図４】枠体の内周面部を示す平面図である。
【図５】棒状嵌合部材を示す斜視図である。
【図６】棒状嵌合部材の正面図である。
【図７】棒状嵌合部材と枠体及び固定障子との嵌合状態を説明するための図である。
【図８】鉤状嵌合部材の正面図である。
【図９】鉤状嵌合部材の側面図である。
【図１０】鉤状嵌合部材と枠体及び固定障子との嵌合状態を説明するための図である。
【図１１】規制部材を示す斜視図である。
【図１２】規制部材を規制用貫通孔の貫通方向から見た図である。
【図１３】建具の取付方法を説明するための図である。
【図１４】建具の取付方法の変形例を説明するための図である。
【図１５】見込み方向嵌合部材を示す斜視図である。
【図１６】見込み方向嵌合部材の変形例を示す斜視図である。
【図１７】上げ下げ窓を示す図である。
【符号の説明】
【００８０】
１  建具、５  移動障子、１１  枠体、１２  上枠、１３  下枠、
１４  左縦枠、１５  右縦枠、１７ｂ  内周面部、１９  枠側溝部、
１９ｂ  突片、１９ｃ  切欠部、１９ｄ  位置決め孔、２０  固定障子、
２０ａ  框体、２０ｃ  外周面、２１  上框、２２  下框、
２３  召し合わせ框（縦框）、２３ａ  側面、２５  框側溝部、
２５ｂ  突片、２８  閉塞部材、３０  棒状嵌合部材、３１ｂ  突起、
３６  見込み方向嵌合部材、５０  鉤状嵌合部材、５５  規制部材、
５９  規制用貫通孔、７２  ビス
【図１】
2010053654.tif 000003
【図２】
2010053654.tif 000004
【図３】
2010053654.tif 000005
【図４】
2010053654.tif 000006
【図５】
2010053654.tif 000007
【図６】
2010053654.tif 000008
【図７】
2010053654.tif 000009
【図８】
2010053654.tif 000010
【図９】
2010053654.tif 000011
【図１０】
2010053654.tif 000012
【図１１】
2010053654.tif 000013
【図１２】
2010053654.tif 000014
【図１３】
2010053654.tif 000015
【図１４】
2010053654.tif 000016
【図１５】
2010053654.tif 000017
【図１６】
2010053654.tif 000018
【図１７】
2010053654.tif 000019